(57)【要約】【課題】  不織布などの緩衝材を用いることなく、スピーカの音圧で部品同士の重なり箇所で「ビビリ音」が発生することを防ぐ。【解決手段】  キャビネット４０の窓部４５にジャックホルダー３０が配備されている。窓部４５を形成している開口４８の口縁部４９の内面４９ａとジャックホルダー３０側の支え縁部３３の支持面３３ａとが重なり合って、重なり箇所の形状が細長形状になっている。重なり箇所Ａの間隔を隔てた長手方向複数箇所に、支え縁部３３に一体成形した突起５０を介在させて、口縁部４９の内面４９ａと支え縁部３３の支持面３３ａとを互いに離反させる方向に付勢させる。【選択図】        図５
2008294500.tif 000002
【特許請求の範囲】
【請求項１】
液晶モジュールと、接続コネクタとしてのジャックが取り付けられたジャックホルダーを搭載した制御基板と、スピーカと、を内蔵する筐体を形成しているキャビネットに、上記ジャックホルダーが配備された窓部が開設されていて、その窓部を形成している開口の口縁部の内面と上記ジャックホルダーに具備された支え縁部の支持面とが重なり合い、かつ、それらの重なり箇所の形状が細長形状になっているテレビジョン受像機において、
上記口縁部の内面と上記支持面とが共に平坦面でなり、細長形状の上記重なり箇所の間隔を隔てた長手方向複数箇所にスペーサを分け入らせて、それらのスペーサによって、開口の上記口縁部の内面とジャックホルダーの上記支え縁部の支持面とを互いに離反させる方向に付勢させていることを特徴とするテレビジョン受像機。
【請求項２】
上記スペーサが、開口の上記口縁部の内面又はジャックホルダーの上記支え縁部の支持面の一方側に一体に樹脂で成形された突起でなる請求項１に記載したテレビジョン受像機。
【請求項３】
上記ジャックホルダーは、上記ジャックが取り付けられる平板状のホルダー本体と、このホルダー本体から突き出た突片部とを備えているのに対し、キャビネットが、背板部とこの背板部から突き出てその背板部と共働して入隅部を形作っている側板部とを備えて、窓部を形成している上記開口が、上記側板部に形成されて上記ホルダー本体が配備された横向き開口部と上記背板部に形成されて上記突片部が配備された後向き開口部とを有している請求項２に記載したテレビジョン受像機。
【請求項４】
上記支え縁部が上記突片部の端部に形成されていてその支え縁部の根元に盗み凹溝が備わっている請求項３に記載したテレビジョン受像機。
【発明の詳細な説明】
【技術分野】
【０００１】
本発明は、テレビジョン受像機、特に、筐体を形成しているキャビネットに内蔵されたスピーカから発生する音圧によって、そのキャビネットの窓部とその窓部に配備されているジャックホルダーとの重なり箇所で発生することのある所謂「ビビリ音」を、発生しなくしたり抑制したりするための対策を講じたテレビジョン受像機に関する。
【背景技術】
【０００２】
テレビジョン受像機、特に液晶テレビジョン受像機では、筐体を形成しているキャビネットに、液晶モジュールのほか、制御基板やスピーカなどの必要部品が内蔵されている。また、制御基板には、アンテナ線やヘッドホンといった外部機器などを接続するためのジャックが取り付けられたジャックホルダーが搭載されていることがあり、そのような液晶テレビジョン受像機では、キャビネットに開設した開口でなる窓部にそのジャックホルダーが配備されている。なお、基板に搭載されたジャックをジャックホルダーを介してキャビネットに取り付けることは公知である（たとえば、特許文献１参照）。
【０００３】
ところで、キャビネットが樹脂成形されている液晶テレビジョン受像機では、そのキャビネットをできるだけ肉薄にすることが薄形化ないし軽量化に役立つことが判っている。また、肉薄のキャビネットを採用した液晶テレビジョン受像機にあっては、上記したジャックホルダーが配備されている窓部の形成箇所で、その窓部を形成している開口の口縁部をジャックホルダーに具備させた支え縁部によって内側から支えさせておくことが、窓部としての開口の口縁部の割れなどを防ぐ上で有益であると云える。
【０００４】
そこで、図７に説明的に示したように、ジャックホルダー側の支え縁部１の支持面１ａにキャビネット側の開口の口縁部２を重ね合わせることにより、口縁部２を内側から支え縁部１によってバックアップする構成を採用することがあった。しかしながら、図７のようにただ単に支え縁部１と口縁部２とを重ね合わせただけの構成を採用すると、キャビネットに内蔵されているスピーカ（不図示）から発生する音圧でによって両者の重なり箇所で「ビビリ音」が発生しやすい。特に、キャビネットが薄肉化されていて、重なり箇所の形状が細長形状になっていて両者が面接触していると、その「ビビリ音」が耳障りになる傾向が大きいということが判っていた。これは、重なり箇所の全体が面接触するような設計を行ったとしても、実際上は、支持面１ａや口縁部２の平面度の誤差や傾きなどの取付け誤差の影響で、重なり箇所が不完全な状態で面接触していることによるものと考えられるからである。
【０００５】
この点に鑑みて、従来は、図８に説明的に示したように、ジャックホルダー側の支え縁部１の支持面１ａとキャビネット側の開口の口縁部２との重なり箇所に不織布などの緩衝材３を挟み込むことによって、支え縁部１の支持面１ａと口縁部２とが直接接触することを回避させて「ビビリ音」の発生を抑制していた。
【０００６】
一方、液晶テレビジョン受像機の分野では、音声を出力したときにフロントキャビネットが細かく振動すること（ビビリ）を抑制するための対策として、不織布などの弾性シートを液晶モジュールとフロントキャビネットとの間に介在させることが周知になっている（たとえば、特許文献２参照）。
【０００７】
また、テレビジョン受像機において、表示面と筐体との当接部分で発生するビビリ音を抑制するために、筐体側の表示面との当接部分に、筐体の射出成形時に中空部を形成することが公知になっている（特許文献３参照）。そして、この特許文献２には、表示面と筐体との当接部分に不織布を配置してビビリ音を抑制することについても記載されている。
【特許文献１】特開２００６−３３１８２７号公報
【特許文献２】実用新案登録第３１１５１７５号公報
【特許文献３】特開２００４−２９７５８３号公報
【発明の開示】
【発明が解決しようとする課題】
【０００８】
しかしながら、図８や特許文献１、特許文献２などによって示されている対策、すなわち、「ビビリ音」の発生箇所に不織布などの緩衝材を介在させることによって「ビビリ音」の発生を抑制するという対策を講じることは、組立工程での工数面やコスト面から見て合理的ではなく、不織布などの緩衝材を用いることによる工数の増加やコストアップを回避することができないという問題があった。
【０００９】
そこで、本発明は、特に、薄形化されているキャビネットの窓部にジャックホルダーが配備されていて、その窓部を形成している開口の口縁部の割れなどを防ぐためにその口縁部をジャックホルダーの支え縁部によって内側からバックアップさせているようなテレビジョン受像機に関して、不織布などの緩衝材を用いることなく、スピーカの音圧で上記した口縁部と支え縁部との重なり箇所で発生することのある「ビビリ音」の発生が無くなるか、あるいは、抑制されるようにすることを目的とする。
【００１０】
また、本発明は、別部品を用いずに上記「ビビリ音」の発生が無くなるか、あるいは、抑制されるようになるテレビジョン受像機を提供することを目的とする。
【課題を解決するための手段】
【００１１】
本発明に係るテレビジョン受像機は、液晶モジュールと、接続コネクタとしてのジャックが取り付けられたジャックホルダーを搭載した制御基板と、スピーカと、を内蔵する筐体を形成しているキャビネットに、上記ジャックホルダーが配備された窓部が開設されていて、その窓部を形成している開口の口縁部の内面と上記ジャックホルダーに具備された支え縁部の支持面とが重なり合い、かつ、それらの重なり箇所の形状が細長形状になっている。そして、上記口縁部の内面と上記支持面とが共に平坦面でなり、細長形状の上記重なり箇所の間隔を隔てた長手方向複数箇所にスペーサを分け入らせて、それらのスペーサによって、開口の上記口縁部の内面とジャックホルダーの上記支え縁部の支持面とを互いに離反させる方向に付勢させている。
【００１２】
この構成であると、開口の上記口縁部の内面と支え縁部の支持面との重なり箇所に分け入っているスペーサがそれらの口縁部の内面と支え縁部の支持面とを互いに離反させる方向に付勢しているために、スピーカの音圧によってキャビネット側の開口の口縁部やジャックホルダー側の支え縁部が振動しにくくなり、冒頭で説明した不織布などの緩衝材を用いなくてもそれらの重なり箇所での「ビビリ音」の発生が無くなるか、あるいは、抑制される。
【００１３】
本発明では、上記スペーサが、開口の上記口縁部の内面又はジャックホルダーの上記支え縁部の支持面の一方側に一体に樹脂で成形された突起でなることが望ましい。この構成であると、不織布などの緩衝材を用いる必要がなくなることは勿論、スペーサをも余分に別部材として用いる必要がなくなるため、組立工程での工数面やコスト面で有利である。
【００１４】
本発明において、上記ジャックホルダーは、上記ジャックが取り付けられる平板状のホルダー本体と、このホルダー本体から突き出た突片部とを備えているのに対し、キャビネットが、背板部とこの背板部から突き出てその背板部と共働して入隅部を形作っている側板部とを備えて、窓部を形成している上記開口が、上記側板部に形成されて上記ホルダー本体が配備された横向き開口部と上記背板部に形成されて上記突片部が配備された後向き開口部とを有している、という構成を採用することが可能である。この構成を採用すると、キャビネットがその背板部と側板部とで形作られている入隅部によって形状的に補強されるため、その入隅部に開設されている窓部としての開口の口縁部が振動しにくくなっていることに加えて、上記したようにスペーサとしての突起が口縁部の内面と支え縁部との両者に弾圧状態で当接してそれらの口縁部や支え縁部を振動しにくい状態に保っているため、それらの重なり箇所での「ビビリ音」の発生を抑制する作用が顕著に発揮される。
【００１５】
本発明では、上記支え縁部が上記突片部の端部に形成されていてその支え縁部の根元に盗み凹溝が備わっていることが望ましい。この構成を採用すると、支え縁部の根元に備わっている盗み凹溝の作用によって、開口の口縁部にスペーサとしての突起が確実に弾接するようになる。
【発明の効果】
【００１６】
本発明に係るテレビジョン受像機は、不織布などの緩衝材を用いることなく、スピーカの音圧でキャビネット側の窓部としての開口の口縁部とジャックホルダー側の支え縁部との重なり箇所で発生することのある「ビビリ音」の発生を無くしたり、抑制したりすることが可能になる。特に、スペーサを上記口縁部の内面又はジャックホルダーの上記支え縁部の一方側に一体に樹脂で成形された突起によって形成し、かつ、キャビネットに形作られた入隅部に窓部を形成したものでは、キャビネットが薄形化されていても、別部品を用いずに「ビビリ音」の発生を無くしたり抑制したりすることができるようになるという効果が奏される。したがって、ユーザは、スピーカ内蔵型の液晶テレビジョン受像機で耳障りのない音声を楽しむことができるようになる。
【発明を実施するための最良の形態】
【００１７】
図１は本発明の実施形態に係る液晶テレビジョン受像機の内部構成を説明的に示した概略縦断側面図である。同図において、１０は液晶モジュールであり、背部にバックライト１１を有している。２０は制御基板であって、液晶モジュール１０の背部に起立姿勢で取り付けられている。この制御基板２０の端部には、ジャックホルダー３０が横向き姿勢でビス止めされている。４０は筐体としてのキャビネットである。このキャビネット４０は合成樹脂成形体でなる。
【００１８】
図２は液晶テレビジョン受像機を後側から見た概略斜視図、図３は図２の要部の拡大斜視図である。また、図４はジャックホルダー５０の概略斜視図である。
【００１９】
図２のように、液晶テレビジョン受像機の上記キャビネット４０は、上記した液晶モジュール１０、ジャックホルダー３０を搭載した制御基板２０のほか、図示していないスピーカを左右対象位置に収容してなる。また、このキャビネット４０は、背板部４１の一部に膨出部４２が形成されていて、その膨出部４２の側板部４３が背板部４１が後方に突き出し、背板部４１とその背板部４１から突き出ている上記側板部４３とが共働して入隅部４４を形作っている。そのため、このキャビネット４０では、入隅部４４によって形状的に補強されている。また、上記側板部４３には横向き開口部４６が開設され、かつ、その横向き開口部４６に繋がっている後向き開口部４７が背板部４１には開設されていて、それらの横向き開口部４６と後向き開口部４７とによって形成される開口４８が窓部４６とされている。
【００２０】
これに対し、図４に示したように、ジャックホルダー３０は、図示していないアンテナジャックやヘッドホンジャックの差込み口が臨む孔部３５，３６を備えた矩形平板状のホルダー本体３１と、このホルダー本体３１の一端縁から突き出た突片部３２とを備えている。そして、図３に示したように、上記入隅部４４に備わっている開口４８でなる窓部４５にジャックホルダー３０が配備されている。さらに具体的には、ジャックホルダー３０のホルダー本体３１が横向き開口部４６に配備され、かつ、突片部３２が後向き開口部４７に配備されている。
【００２１】
さらに、図４に示したように、ジャックホルダー３０はその突片部３２の端部に形成された支え縁部３３を備えていて、この支え縁部３３の根元に盗み凹溝３４が備わっている。そして、その支え縁部３３に、キャビネット４０側の窓部４５を形成している開口４８の口縁部４９が細長領域で重なり合っている。
【００２２】
図５は支え縁部３３と開口４８の口縁部４９との細長形状の重なり箇所Ａを説明的に示した概略斜視図である。同図で判るように、支え縁部３３は、開口４８の口縁部４９を内側から支えてバックアップしている。そのため、開口４８の口縁部４９が支え縁部３３により補強されて割れなどの損傷を受けにくくなっている。
【００２３】
ところで、上記支え縁部３３の表面によって形成されている支持面３３ａと上記口縁部４９の内面４９ａとは共に平坦面に形成されていて、設計上は、支え縁部３３と開口４８の口縁部４９との重なり箇所Ａにおいて、支持面３３ａと口縁部４９の内面４９ａとが全体で重なり合うことを前提条件としている。しかし、設計上でそのような前提条件を設定したとしても、実際上は、支持面３３ａや口縁部４９の内面４９ａの平面度には誤差があり、また、傾きなどの取付け誤差も生じるために、それらの影響を受けて、重なり箇所Ａが不完全な状態で面接触しているときがある。
【００２４】
そこで、この実施形態では、上記重なり箇所Ａが不完全な状態で面接触していることを勘案して、図４のように、ジャックホルダー３０側の支え縁部３３の細長形状の支持面３３ａに、複数の突起５０をその支持面３３ａの長手方向に間隔を隔てて一体に樹脂で成形してある。このため、図６に説明的に示したように、細長形状の重なり箇所Ａでは、間隔を隔てた長手方向複数箇所に突起５０が分け入った状態になり、それらの突起５０によって上記口縁部４９の内面４９ａと上記支え縁部３３の支持面３３ａとが互いに離反する方向に付勢された状態になる。このため、スピーカの音圧によってキャビネット４０側の開口４８の口縁部４９やジャックホルダー３０側の支え縁部３３が振動しにくくなる。したがって、冒頭で説明した不織布などの緩衝材を用いなくてもそれらの重なり箇所での「ビビリ音」の発生が無くなるか、あるいは、抑制されることになる。
【００２５】
この実施形態では、上記突起５０をジャックホルダー３０の支え縁部３３の支持面３３ａに具備させてあるけれども、この点は、キャビネット４０側の口縁部４９の内面に突起を具備させて上記支持面３３ａから突起５０を省略しておいてもよい。また、突起５０をジャックホルダー３０やキャビネット４０に一体に成形するのではなく、別体の部品としてのスペーサとして製作しておき、そのようなスペーサを細長形状の重なり箇所Ａの間隔を隔てた長手方向複数箇所に分け入らせ、それらのスペーサによって、上記口縁部４９の内面４９ａと支え縁部３３の支持面３３ａとを互いに離反させる方向に付勢させるという構成を採用してよい。しかし、別体の部品としてのスペーサを突起５０の代わりに用いると、スペーサが余分に必要になって組立工程での工数面やコスト面で不利である。したがって、突起５０を、上記口縁部４９の内面４９ａ又は支え縁部３３の支持面３３ａの一方側に一体に樹脂で成形しておくことが望ましい。
【００２６】
この実施形態では、ジャックホルダー３０側の支え縁部３３の根元に盗み凹溝３４を形成してある。そのため、支え縁部３３に重なり合った開口４８の口縁部４９がその支え縁部３３から浮き上がるという事態が生じない。そのため、開口４８の口縁部４９の内面４９ａに突起５０が確実に弾接するようになって、スピーカの音圧による「ビビリ音」をいっそう効果的に抑制することができるようになるという利点がある。
【図面の簡単な説明】
【００２７】
【図１】本発明の実施形態に係る液晶テレビジョン受像機の内部構成を説明的に示した概略縦断側面図である。
【図２】液晶テレビジョン受像機を後側から見た概略斜視図である。
【図３】図２の要部の拡大斜視図である。
【図４】ジャックホルダーの概略斜視図である。
【図５】支え縁部と開口の口縁部との重なり箇所を説明的に示した概略斜視図である。
【図６】重なり箇所の構造を説明的に例示した概略斜視図である。
【図７】支え縁部と開口の口縁部との重なり箇所の構造を説明的に例示した概略斜視図である。
【図８】「びびり音」の軽減対策を講じた従来例を説明的に例示した概略斜視図である。
【符号の説明】
【００２８】
Ａ  重なり箇所
１０  液晶モジュール
２０  制御基板
３０  ジャックホルダー
３１  ホルダー本体
３２  突片部
３３  支え縁部
３３ａ  支え縁部の支持面
３４  盗み凹溝
４０  キャビネット
４１  背板部
４３  側板部
４４  入隅部
４５  窓部
４６  横向き開口部
４７  後向き開口部
４８  開口
４９  開口の口縁部
４９ａ  開口の口縁部の内面
５０  突起（スペーサ）
【図１】
2008294500.tif 000003
【図２】
2008294500.tif 000004
【図３】
2008294500.tif 000005
【図４】
2008294500.tif 000006
【図５】
2008294500.tif 000007
【図６】
2008294500.tif 000008
【図７】
2008294500.tif 000009
【図８】
2008294500.tif 000010